(57)【要約】
【課題】標識コーンに各種情報を安価かつ効率的に表示するための補助表示具の提供。
【解決手段】標識コーン（Ａ）の外面形状に対応した軟質合成樹脂製の円錐筒形状体（４）に形成され、標識コーンの外面に着脱自在に被せ得るものとなされると共に、文字情報や図形情報などの情報が表示される表示部（３）が備えられた標識コーン用補助表示具（１）である。
【選択図】図１
0003100443.tif 000002
【実用新案登録請求の範囲】
【請求項１】
　標識コーンの外面形状に対応した軟質合成樹脂製の円錐筒形状体からなり、
　標識コーンの外面に着脱自在に被せ得るものとなされると共に、
　文字情報や図形情報などの情報が表示される表示部が備えられたことを特徴とする標識コーン用補助表示具。
【請求項２】
　前記円錐筒形状体の頂部に開口部を備えている請求項１に記載の標識コーン用補助表示具。
【請求項３】
　前記円錐筒形状体が伸縮性を備えている請求項１または請求項２に記載の標識コーン用補助表示具。
【請求項４】
　前記表示部は、前記円錐筒形状体の表面に文字情報と図形情報の両者が直接印刷されることにより形成されている請求項１ないし請求項３のいずれか１項に記載の標識コーン用補助表示具。
【請求項５】
　前記円錐筒形状体は、１枚の平面状の扇形の軟質合成樹脂シートの両端縁部が接合されることにより形成されている請求項１ないし請求項４のいずれか１項に記載の標識コーン用補助表示具。
【請求項６】
　前記円錐筒形状体は、複数枚の平面状の扇形の軟質合成樹脂シートの隣り合う縁部同士が接合されることにより形成されている請求項１ないし請求項４のいずれか１項に記載の標識コーン用補助表示具。
【請求項７】
　前記円錐筒形状体の外面に、長さ方向に沿った把持用耳部が、周方向に１個または複数個突出形成されている請求項１ないし６のいずれかに記載の標識コーン用補助表示具。
【請求項８】
　少なくとも２個の前記把持用耳部が、円錐筒形状体の軸対象位置またはその近傍位置に突出形成されている請求項７に記載の標識コーン用補助表示具。
【請求項９】
　前記把持用耳部は、前記円錐筒形状体を構成する１枚または２枚の扇形の軟質合成樹脂シートの縁部接合部からなる請求項７または８に記載の標識コーン用補助表示具。
【考案の詳細な説明】
【技術分野】
【０００１】
　この考案は、ロードコーンやセイフティーコーンなどと呼ばれる標識コーンに被せることによって、種々の情報を標識コーン上に表示しうる標識コーン用補助表示具に関する。
【背景技術】
【０００２】
　道路工事やビル工事などの各種工事現場や大規模イベント会場などにおいて、工事区域や立ち入り禁止区域や誘導順路などを示すために、多数個の標識コーンを道路上や広場に設置することが広く行われている。
【０００３】
　しかし、従来の標識コーンは、赤やオレンジ色の単色か、前記色を地色としてこの色に黒や白のストライプが施されたものがほとんどであり、工事現場やイベント会場に設置されているコーンが立ち入り禁止の場所なのか、チケットを買うために待機する場所なのか等、単なる通行人やイベントに参加する人には何のために設置されているかが不明な場合も多々ある。
【０００４】
　一方、標識コーンに種々の情報、例えば「駐車禁止」等の情報を直接印刷等して表示する場合もあるが、当該場合が好適に採用されるのはコーンが常設されている場合などに限定される。しかし、イベント会場への誘導など様々な情報をその時々に応じて表示し、イベントが終了すればそれらの情報が不要になる場合には、コーン表面に直接前記情報を印刷していたのでは、イベント終了後コーン自体を廃棄しなければならず、コストの点で問題になるばかりか、廃棄物が増加するという点で環境に対しても悪影響を及ぼすという問題があった。
【０００５】
　そこで、標識コーンの外形に対応した剛体の取り付け具を備え、標識コーンの上部に着脱自在に嵌合装着される矢印などの形状に成形された道路標識板に関する発明が提案されている（特許文献１）。
【０００６】
　特許文献１に記載の道路標識板は、標識コーンの上部に剛体の取り付け具を備えた標識板を着脱自在に被嵌装着するものである。そのため、工事の内容やイベントの種類に対応した情報を表示した取り付け具付き標識板を作成し、設置する場所などに応じて標識コーンに嵌合装着することができる。従って、単に標識コーンを用いる場合に比べて、最適な情報を表示することができるとともに、コーン自体に直接印刷などする必要がないため、ある程度コストを低下させることができるものであった。
【特許文献１】特開２０００−１６０５２１号
【考案の開示】
【考案が解決しようとする課題】
【０００７】
　しかしながら、前記特許文献１に記載の発明は、標識コーンに取り付けられる標識板が剛体であって、標識板の面に対して垂直に突出した剛体の取り付け具を備えているため、収納の際にかさばり、また、重量もかなりあるため収納や運搬等がし難いという問題を有していた。
【０００８】
　また、当該標識板に表示した情報が不要になれば標識板を廃棄しなければならないが、コーンを廃棄する場合と比べて廃棄物の減量効果はあまり期待できるものではなかった。
【０００９】
　さらに、標識コーンに標識板を取り付けた状態では、全体として重心が高くなってしまうので、標識板を取り付けたコーンが倒れやすくなり、更に標識板が風を受けてしまうため、風のある屋外などでは標識板を取り付けたコーンが倒れて散乱し、その衝撃でコーンや表示板が破損してしまうこともあった。
【００１０】
　本考案は上記問題に鑑みてなされたものであり、円錐形状であって重心が低い標識コーンの特徴を損なうことなく、コーン表面に各種情報を任意に表示することができ、しかも、収納や運搬が容易な標識コーン用補助表示具の提供を課題とする。
【課題を解決するための手段】
【００１１】
　上記課題を解決するために本願考案は以下の手段を提供する。
［１］標識コーンの外面形状に対応した軟質合成樹脂製の円錐筒形状体からなり、標識コーンの外面に着脱自在に被せ得るものとなされると共に、文字情報や図形情報などの情報が表示される表示部が備えられたことを特徴とする標識コーン用補助表示具。
［２］前記円錐筒形状体の頂部に開口部を備えている項１に記載の標識コーン用補助表示具。
［３］前記円錐筒形状体が伸縮性を備えている項１または項２に記載の標識コーン用補助表示具。
［４］前記表示部は、前記円錐筒形状体の表面に文字情報と図形情報の両者が直接印刷されることにより形成されている項１ないし項３のいずれか１項に記載の標識コーン用補助表示具。
［５］前記円錐筒形状体は、１枚の平面状の扇形の軟質合成樹脂シートの両端縁部が接合されることにより形成されている項１ないし項４のいずれか１項に記載の標識コーン用補助表示具。
［６］前記円錐筒形状体は、複数枚の平面状の扇形の軟質合成樹脂シートの隣り合う縁部同士が接合されることにより形成されている項１ないし項４のいずれか１項に記載の標識コーン用補助表示具。
［７］前記円錐筒形状体の外面に、長さ方向に沿った把持用耳部が、周方向に１個または複数個突出形成されている項１ないし６のいずれかに記載の標識コーン用補助表示具。
［８］少なくとも２個の前記把持用耳部が、円錐筒形状体の軸対象位置またはその近傍位置に突出形成されている項７に記載の標識コーン用補助表示具。
［９］前記把持用耳部は、前記円錐筒形状体を構成する１枚または２枚の扇形の軟質合成樹脂シートの縁部接合部からなる項７または８に記載の標識コーン用補助表示具。
【考案の効果】
【００１２】
　［１］の考案によれば、コーンに着脱自在であるため、種々の情報が表示された補助表示具を標識コーン被せることによって任意に各種情報を表示することができる。また、補助表示具を取り替えることによって、別の情報も表示することができるため、標識コーン自体を取り替えることなく低コストで各種表示を行うができる。
【００１３】
　また、補助表示具は標識コーンの外面形状に対応した円錐筒形状であるため、標識コーンの外面形状にフィットし、標識コーンから不本意にはずれてしまうことを抑止することができる。
【００１４】
　また、補助表示具を装着しても標識コーンの重心位置はほとんど変わらず、風の影響も受けにくいため、標識コーンが倒れやすくなることもない。
【００１５】
　更に、補助表示具が軟質の合成樹脂製であるため、当該補助表示具を収納する場合においても平らに押し潰して折り畳むこともできるので、コンパクトに収納することができ、更に、剛体の表示板などと比べて軽量であるため、保管や運搬も容易に行うことができる。
【００１６】
　［２］の考案によれば、円錐筒形状体頂部の開口部から標識コーンの頂部を突出させた状態で補助表示具を装着することができるため、円錐の開き角度の大小など外面形状が異なる標識コーンに対しても幅広く対応することが可能となる。
【００１７】
　また、補助表示具を標識コーンに装着する際に開口部から空気が抜けて表示具が装着し安いという効果も有する。
【００１８】
　［３］の考案によれば、補助表示具が伸縮性を備えているため、標識コーンの表面にぴったりとフィットした状態で補助表示具を装着することが可能となる。これにより、標識コーンの外面形状を選ぶことなく汎用的に補助表示具を装着できることになるのはもとより、補助表示具の伸縮性により抱持状態で標識コーンに固着することができるため、風などによって補助表示具が標識コーンから不本意に剥がれて飛び去ることを防止することも可能となる。
【００１９】
　［４］の考案によれば、文字情報と図形情報の両者が印刷されているため、直感的に情報を把握することができるとともに、文字の内容により詳細に情報を確認することができる。また、図形情報によって、子供や老人などに対しても情報を提示することができる。
【００２０】
　更に、これらが印刷により表示されるものであるため、同一の情報を簡易に表示でき、低コストで製造できる補助表示具とすることができる。
【００２１】
　［５］の考案によれば、表示具は平面状態のシートから円錐筒形状に成形されるため、表示部を平面状の段階で設け、その後立体的に製造することができ、簡易な技術で補助表示具を製造することが可能となる。
【００２２】
　［６］の考案によれば、複数片の扇形シートのそれぞれの形状を工夫することによりコーンの外面形状にフィットした表示具を製造することも可能となる。従って、標識コーンに表示具を装着した際には外面形状にフィットするため不本意に表示具がはずれることを防止することができる。
【００２３】
　また、表示具の製造に必要な平面状扇形シート一枚のサイズが小さくなり、表示具製造の際の取り扱いが容易になる。また、矩形のシートから当該扇形シートを切り出すに際し、扇形シートを配置する自由度が向上するため、扇形シートの配置方法によって残余部分の面積を小さくすることができる。
【００２４】
　［７］の考案によれば、標識コーンに表示具を着脱する際に、外方に突出した耳部を把持して作業することができるので、耳部を把持して表示具を広げるようにして標識コーンに着脱することができる。従って表示具を標識コーンの表面にぴったりとフィットさせて装着することができる一方、取り外しも容易となる。
【００２５】
　［８］の考案によれば、少なくとも２個の前記把持用耳部が、円錐筒形状体の軸対象位置またはその近傍位置に突出形成されているので、補助表示具の脱着作業時に、各耳部を左右の手で持ちやすくなり脱着作業が容易となる上、表示具の取り付けあるいは取り外し時に力が均等に加わることになり、よりスムーズに取り付け、取り外しを行うことができる。
【００２６】
　［９］の考案によれば、１枚または２枚の扇形の軟質合成樹脂シートの縁部を接合して円錐筒形状体に成形する際に、縁部接合部を耳部に成形すればよいから、耳部を簡単に形成することができる。
【考案を実施するための最良の形態】
【００２７】
　図１〜図４は、この考案の第一実施形態である標識コーン用補助表示具（１）を示す図である。これらの図に示すように、この実施形態の標識コーン用補助表示具（１）は、頂部に開口部（２）を備えた円錐筒形状体（４）と、その表面に文字情報と図形情報が標示された表示部（３）で構成されている。
【００２８】
　前記円錐筒形状体（４）は円錐の頂部を高さ方向に対して垂直に切断した円錐台形状となされ、切断された頂部は開口して開口部（２）となされている。また、その底部も開口している。
【００２９】
　前記開口部（２）は、円錐筒形状体（４）の形状と標識コーン（Ａ）の外面形状、特に円錐の角度に若干の相違がある場合でも、前記開口部（２）に標識コーン（Ａ）の頂部（１０）を嵌入させることである程度形状の相違を吸収して標識コーン（Ａ）の表面形状に沿わせることができるものである。また、表示具（１）を標識コーン（Ａ）に装着する際の空気抜き孔の役目も担うものである。
【００３０】
　また、図２に示すように、円錐筒形状体（４）の表面には、「順路」という文字情報と自動車を示す図形情報が表示された表示部（３）が左右方向に２カ所備えられている。この表示部（３）は、円錐筒形状体（４）の表面に直接印刷されたものである。なお、後述するように、当該印刷は円錐筒形状体（４）が製造される前の平面状態のシートに印刷したものである。
【００３１】
　また、前記円錐筒形状体（４）の外面には、表示部（３）を避けた位置において、長さ方向（傾斜方向）に沿って帯状に突出した１条の耳部（６）が形成されている。この耳部（６）は、表示具（１）をコーン（Ａ）に着脱する際に、把持部として機能するものである。
【００３２】
　前記円錐筒形状体（４）を構成する材料は、ターポリンと称されるようなポリエステル繊維の織物を軟質な合成樹脂フィルムでサンドしたシートが使用されている。
【００３３】
　前記シートは、柔軟性を有しかつ伸縮性を備えたものとなされている。従って当該シートにより立体的に製造された円錐筒形状体（４）は扁平状に押しつぶして折り畳むことができコンパクトに収納できるものとなされている。
【００３４】
　次に、補助表示具（１）の製造方法を説明する。
【００３５】
　まず、ターポリンと称されるような合成樹脂製の大判のシートの所定の位置に「順路」及び車の図形を複数個印刷する。次に、前記印刷箇所と対応するように前記シートを図３に示すような扇形に切断する。
【００３６】
　次に、この扇形の直線状縁部（５）（５）の裏側同士が接触するように重ね合わせ、当該重ね合わせ部分を相互に溶着することで、円錐台形状となされた補助表示具（１）が形成されるとともに、図２に示すようにその表面に外方突出状態で耳部（６）が設けられる。
【００３７】
　前述の接合方法は、裏面同士が接触状態で重ね合わされた直線状縁部（５）（５）を外部から挟み込むようにして溶着することができるため、溶着作業が容易になる。さらに、溶着と同時に接合耳部（６）を形成することが可能となる。加えて、溶着により硬化した部分がじゃまになることなく表示具（１）を押しつぶして扁平にすることもできる。また、当該耳部（６）は、表示具（１）をコーン（Ａ）に着脱する際に、把持部として機能させることができるから、着脱作業が容易になる。
【００３８】
　なお、直線状縁部（５）（５）の溶着方法は熱溶着や超音波溶着など任意の溶着方法を採用できる。
【００３９】
　このように平面状のシートから補助表示具（１）を製造することで、平面上のシートの段階で文字情報や図形情報などの表示部（３）を容易に設けることができるとともに、当該表示部を設けた後のシートを溶着するだけで表示具（１）を製造することができ、低コストかつ歩留まり良く補助表示具（１）を製造することができる。
【００４０】
　次に、補助表示具（１）の使用方法を説明する。
【００４１】
　前述の製造方法で得られた補助表示具（１）は扁平な状態に押し潰され、更に適宜折り畳まれて表示部（３）の内容別に梱包され、目的地に運搬される。
【００４２】
　そして、イベント会場などにおいてあらかじめ配置されている標識コーン（Ａ）の配置場所に対応した情報が表示されている補助表示具（１）を標識コーン（Ａ）に被せて装着したり、事前に表示具（１）を標識コーン（Ａ）に装着しておき、当該表示具付きコーン（Ａ）を表示具（１）に記載された情報に従って配置すればよい。
【００４３】
　ここで、表示具（１）を標識コーン（Ａ）に装着する際には耳部（６）の下方をつまんで引き下げることで、容易に装着することができる。
【００４４】
　また、表示具（１）は頂部に開口部（２）が備えられ、かつ、伸縮性のある素材で構成されているため、準備されている標識コーン（Ａ）の外観形状に多少のばらつきがあったとしても、コーン（Ａ）の頂部を前記開口部（２）に強制嵌入し、更に素材の伸縮性によって表示具（１）をコーン（Ａ）の外面にフィットさせることができる。従って表示具（１）全体が標識コーン（Ａ）を抱持状態に装着され、風などによって表示具（１）がコーン（Ａ）から不意にはずれることを抑止することができる。
【００４５】
　以上によって、配置される場所に対応した情報が標識コーン（Ａ）の表面に表示されるため、当該イベントに参加する人々は、迷うことなく目的に会場にたどり着くことができる。
【００４６】
　次に、イベントが終了すれば、コーン（Ａ）に装着した表示具（１）のみを取りはずせば良く、その際、耳部（６）をつまんで上方に引っ張れば容易に表示具（１）を標識コーン（Ａ）から取り外すことができる。そして、標識コーン（Ａ）自体は他のイベント会場や工事現場に利用することができるため、標識コーン（Ａ）を使用する場合のトータルコストを抑えることが可能となる。
【００４７】
　また、不要になった表示具（１）は扁平にして折り畳めば全体容積を縮小することができるため廃棄する際にも好適である。
【００４８】
　以上、本考案にかかる一実施形態を説明したが、本考案は当該実施形態に限定されるものではない。
【００４９】
　例えば、円錐筒形状体（４）は頂部に開口部（２）を有しない形状でも構わない。
【００５０】
　また、円錐筒形状体（４）を構成する材質は、軟質塩化ビニル製シートなどビニール系のものでも構わない。
【００５１】
　また、表示部（３）は円錐筒形状体（４）の表面に１カ所のみ設けたものでもよく、３カ所以上設けてもよい。
【００５２】
　また、製造段階における直線状縁部（５）（５）の接合も溶着ばかりでなく接着剤を用いた接着でも構わない。また、ハトメや鋲やベルクロファスナーなどあらゆる接合方法を選択しうる。
【００５３】
　更に、平面状シートを接合して立体形状にするのではなく、ブロー成型など当初から円錐形状に製造するものでも構わない。
【００５４】
　表示部（３）は直接印刷するばかりでなく、別途製造されたシートやプレートを接着剤などで貼着するものでも構わない。
【００５５】
　次に、図５、６は、この考案の第二実施形態を示す図である。これらの図に示すように、第二実施形態は前期第一実施形態と材質、形態等に関しほぼ同一であるため、同一の部分については説明を省略し、異なる部分のみを説明する。また、同一の部分については同一の符号を付している。
【００５６】
　第二実施形態の円錐筒形状体（４）の表面には、「順路」という文字情報と自動車を示す図形情報が表示された表示部（３）（３）が前後に２カ所備えられており、前後方向から表示部（３）の情報を見ることができるものとなされている。また、耳部（６）（６）は、表示部（３）（３）を避けた位置で、かつ円錐筒形状体（４）のほぼ軸対称位置換言すれば径方向の両側の位置において、それぞれ長さ方向（傾斜方向）に沿って外方に突出した状態で左右２カ所設けられている。上記以外は第一実施形態と同様である。
【００５７】
　次に、第二実施形態にかかる補助表示具（１）の製造方法を説明する。
【００５８】
　まず、ターポリンシートの所定の位置に「順路」及び車の図形を複数個印刷する。この際、表示具（１）の前後方向に表示部（３）が位置するように、換言すれば、後述する扇形シートの中間部に位置するように印刷される。次に、前記印刷箇所と対応するように前記シートを図５に示すような扇形に切断する。当該扇形は第一実施形態にかかる扇形シートの約半分の大きさである。勿論接合しろは確保されている。
【００５９】
　次に、切断された２枚の扇形シートを裏側同士が接触するように重ね合わせ、直線状縁部（５）（５）（５）（５）の隣り合う部分を相互に溶着することで、円錐台形状となされた補助表示具（１）が形成されるとともに、図６に示すようにその表面に外方突出状態で耳部（６）（６）が２カ所設けられる。
【００６０】
　前述のように、２枚の扇形シートが重ね合わされた状態で直線状縁部（５）（５）を溶着する場合、完全に平板な状態で溶着ことができるため、第一実施形態の場合に比べてさらに溶着作業が容易になる。
【００６１】
　加えて、溶着した状態ですでに表示具（１）は扁平状となされているため、収納のために表示具（１）を新たに押しつぶす必要もない。また、溶着によって形成された耳部（６）（６）は２カ所あるため、当該２カ所の耳部（６）（６）をそれぞれ左右の手で把持して着脱することができ、作業効率をより向上させることができる。しかも、耳部（６）（６）はほぼ軸対称位置に形成されているから、作業者は耳部（６）（６）を把持しやすくなり、標識コーン（Ａ）に対する円錐筒形状体（４）の着脱作業がより簡単になる。
【００６２】
　なお、上記第二実施形態では、二枚の扇形シートを接合して円錐形状体（４）を形成したが、三枚以上のシートを接合して円錐形状体（４）を形成しても良い。
【００６３】
　また、耳部（６）の位置や個数も任意に設定可能であるし、耳部を設けなくても良い。
【図面の簡単な説明】
【００６４】
【図１】本考案の第一実施形態にかかる標識コーン用補助表示具を示す斜視図である。
【図２】同表示具を他の方向から示す斜視図である。
【図３】同表示具の接合部分を展開して示す図である。
【図４】標識コーンに同表示具を装着した状態を示す斜視図である。
【図５】第二実施形態にかかる表示具の接合部分を展開して示す図である。
【図６】標識コーンに同表示具を装着した状態を示す斜視図である。
【符号の説明】
【００６５】
１：標識コーン用補助表示具
２：頂部開口部
３：表示部
４：円錐形状体
６：耳部
Ａ：標識コーン
【図１】
0003100443.tif 000003
【図２】
0003100443.tif 000004
【図３】
0003100443.tif 000005
【図４】
0003100443.tif 000006
【図５】
0003100443.tif 000007
【図６】
0003100443.tif 000008